(57)【要約】【課題】透明部材保持枠の開閉に支障を来たすことなく、球供給機からの遊技球を貯留皿に案内可能な遊技機を提供する。【解決手段】透明部材保持枠１１と、上皿３９と上皿球出口４７とを備えた上皿ユニット１３と、球排出装置２１から排出された遊技球を上皿球出口４７へ案内する球排出流路２３とを備えたパチンコ遊技機において、球供給機のノズルから排出される遊技球を球受入部１０８より受け入れる球受入ユニット１０５を、透明部材保持枠１１の軸着部側の前面のうちノズルの下方であって上皿３９の上方に位置する箇所に設け、透明部材保持枠１１には、球受入ユニット１０５に受け入れられた遊技球を当該透明部材保持枠１１の裏面側に流下させる案内開口部１０６を開設し、該案内開口部１０６から流下した遊技球を、球排出流路２３のうち縦方向へ延在する縦向き流路へ通して上皿球出口４７へ流下するように構成した。【選択図】図７
2008029894.tif 000002
【特許請求の範囲】
【請求項１】
遊技盤に形成された遊技領域の前方を覆う透明部材を保持した状態で、前面枠に対して軸着部により開閉可能に取り付けられた開閉部材と、
前記開閉部材の前面側に設けられ、遊技球を貯留可能な貯留皿と、前記開閉部材の軸着部側寄りに開設され、前記前面枠の裏側に備えられた球排出装置から遊技球を前記貯留皿に排出する貯留皿球出口とを備えた貯留皿ユニットと、
前記球排出装置から排出された遊技球を前記貯留皿球出口へ案内する球排出流路と、
を備えた遊技機において、
前記前面枠の側方に配設された球供給機のノズルから排出される遊技球を球受入部より受け入れる球受入手段を、前記開閉部材の軸着部側の前面のうちノズルの下方であって貯留皿の上方に位置する箇所に設け、
前記開閉部材には、
前記球受入手段に受け入れられた遊技球を当該開閉部材の裏面側に流下させる案内開口部を開設し、
該案内開口部から流下した遊技球を、前記球排出流路のうち縦方向へ延在する縦向き流路へ通して貯留皿球出口へ流下するように構成されたことを特徴とする遊技機。
【発明の詳細な説明】
【技術分野】
【０００１】
本発明は、遊技球を貯留可能な貯留皿を備えたパチンコ遊技機などの遊技機に関する。
【背景技術】
【０００２】
従来の遊技機、例えばパチンコ遊技機は、貯留皿ユニット（例えば、上皿ユニット）に遊技球を貯留し、この遊技球を遊技領域へ発射することで遊技を行う。このパチンコ遊技機の中には、別体の球供給機とともに設備（島設備）に設置され、球供給機から延設されたノズルから貯留皿ユニットへ遊技球を受け入れるものがある。そして、遊技球を確実に受け入れられるように、球供給機の中には、伸縮可能なノズルを備えて、遊技球が出てくるノズル先端を貯留皿ユニットの位置に合わせて調整できるタイプが存在する。また、ノズルから遊技球を受け入れて貯留皿ユニットへ誘導（案内）する球誘導体（球受入手段）を備えたパチンコ遊技機が提案されている（例えば、特許文献１参照。）。
【０００３】
【特許文献１】特開２００２−３３６５３０号公報（第３頁，第４図）
【発明の開示】
【発明が解決しようとする課題】
【０００４】
ところが、上記したパチンコ遊技機は、遊技領域の前方に開閉可能な状態で設けられた透明部材保持枠（開閉部材）と、貯留皿ユニットとの境界に亘って球誘導体を、貯留皿ユニットに取り付けているので、透明部材保持枠を開くときは、一旦この球誘導体を取り外したり回動させたりして、透明部材保持枠の開閉範囲から退避させなければならない。したがって、パチンコ遊技機にこの球誘導体を備えると、速やかに透明部材保持枠を開き難くなってしまう。このことから、例えば遊技中に遊技領域で球詰まりが生じたとき等に復旧作業がもたついてしまい、遊技者の遊技の興趣を損なわせる虞がある。
【０００５】
そこで、本発明は、上記の事情に鑑みてなされたものであり、その目的は、透明部材保持枠等の開閉部材の開閉に支障を来たすことなく、球供給機からの遊技球を貯留皿に案内可能な遊技機を提供しようとするものである。
【課題を解決するための手段】
【０００６】
本発明は、上記目的を達成するために提案されたものであり、遊技盤に形成された遊技領域の前方を覆う透明部材を保持した状態で、前面枠に対して軸着部により開閉可能に取り付けられた開閉部材と、
前記開閉部材の前面側に設けられ、遊技球を貯留可能な貯留皿と、前記開閉部材の軸着部側寄りに開設され、前記前面枠の裏側に備えられた球排出装置から遊技球を前記貯留皿に排出する貯留皿球出口とを備えた貯留皿ユニットと、
前記球排出装置から排出された遊技球を前記貯留皿球出口へ案内する球排出流路と、
を備えた遊技機において、
前記前面枠の側方に配設された球供給機のノズルから排出される遊技球を球受入部より受け入れる球受入手段を、前記開閉部材の軸着部側の前面のうちノズルの下方であって貯留皿の上方に位置する箇所に設け、
前記開閉部材には、
前記球受入手段に受け入れられた遊技球を当該開閉部材の裏面側に流下させる案内開口部を開設し、
該案内開口部から流下した遊技球を、前記球排出流路のうち縦方向へ延在する縦向き流路へ通して貯留皿球出口へ流下するように構成されたことを特徴とする遊技機である。
【発明の効果】
【０００７】
本発明によれば、以下のような優れた効果を奏する。
すなわち、遊技盤に形成された遊技領域の前方を覆う透明部材を保持した状態で、前面枠に対して軸着部により開閉可能に取り付けられた開閉部材と、前記開閉部材の前面側に設けられ、遊技球を貯留可能な貯留皿と、前記開閉部材の軸着部側寄りに開設され、前記前面枠の裏側に備えられた球排出装置から遊技球を前記貯留皿に排出する貯留皿球出口とを備えた貯留皿ユニットと、前記球排出装置から排出された遊技球を前記貯留皿球出口へ案内する球排出流路とを備えた遊技機において、前記前面枠の側方に配設された球供給機のノズルから排出される遊技球を球受入部より受け入れる球受入手段を、前記開閉部材の軸着部側の前面のうちノズルの下方であって貯留皿の上方に位置する箇所に設け、前記開閉部材には、前記球受入手段に受け入れられた遊技球を当該開閉部材の裏面側に流下させる案内開口部を開設し、該案内開口部から流下した遊技球を、前記球排出流路のうち縦方向へ延在する縦向き流路へ通して貯留皿球出口へ流下するように構成したので、透明部材保持枠等の開閉部材の開閉に支障を来たすことのない球受入手段を備えて、球供給機からの遊技球をこぼすことなく貯留皿に案内することができる。また、球供給機からの遊技球を球排出流路に落下させて、遊技球が衝突する音を遊技機の内部で発生させるようにすることができ、遊技球の貸し出し時における騒音を軽減することができる。
【発明を実施するための最良の形態】
【０００８】
以下、代表的な遊技機であるパチンコ遊技機を例に挙げて本発明の実施の最良の形態を図面に基づき説明する。
【０００９】
パチンコ遊技機１は、図１に示すように、機枠（本体枠）２に大きな開口部を有する額縁状の前面枠３の一側（図中左側）を開閉可能に取り付け、この前面枠３のベースとなる前面枠本体４の遊技盤収納フレーム内に遊技盤５を交換可能な状態で取り付け、遊技盤５の表面には、表示装置６、大入賞口７、一般入賞口８、アウト口９…などを配設した遊技領域１０を形成している。また、前面枠３の前面には、一側（図中左側）が軸着部３ａに軸着された透明部材保持枠（ガラス枠）１１（本発明の開閉部材の一部に相当）を回動可能に設け、該透明部材保持枠１１に略円状の大きな開口窓部を開設し、該開口窓部を塞ぐ状態で透視可能な透明部材（ガラス板）１２を収納して、遊技領域１０を前方から透視可能な状態で覆い、透明部材保持枠１１の下方に上皿ユニット１３（本発明の貯留皿ユニットに相当）と下皿ユニット１４とを上下に並べて備えている。そして、このパチンコ遊技機１は、上皿ユニット１３および下皿ユニット１４の間に、遊技状態に応じて音を発生するスピーカーユニット１５を収納している。さらに、パチンコ遊技機１は、下皿ユニット１４の後方であって前面枠本体４の下部に、遊技球を遊技領域１０に向かって発射するための発射装置１６（図２参照）を備え、該発射装置１６の発射レール上に遊技球発射位置１７を設定している。なお、上皿ユニット１３、下皿ユニット１４および透明部材保持枠１１については、後で詳細に説明する。
【００１０】
また、パチンコ遊技機１は、図３に示すように、前面枠３の裏側に裏機構盤１８を設け、該裏機構盤１８の上部に球タンク１９を、その下方に球タンク１９内の遊技球を誘導する球誘導樋２０を設け、該球誘導樋２０の下端に、遊技球を排出する球排出装置（球排出ユニット）２１を連通させた状態で設けている。この球排出装置２１は、下部の遊技球排出口（図示せず）に球排出流路２３を接続し、該球排出流路２３を上皿ユニット１３に連通している。また、球排出流路２３は、途中からオーバーフロー流路２４を分岐し、該オーバーフロー流路２４を下皿ユニット１４に連通させている。したがって、このパチンコ遊技機１は、球排出装置２１が作動することにより所定数の遊技球を流下し、これらの遊技球を上皿ユニット１３または下皿ユニット１４に払い出すように構成されている。
なお、球排出流路２３の構成については、後で詳細に説明する。
【００１１】
一方、パチンコ遊技機１の側方（詳しくは、前面枠３の軸着側方。図中左側方）には、球供給機（球貸出機）２７が設けられている。この球供給機２７は、前面に硬貨投入口２８および硬貨返却口２９を備えている。また、球供給機２７は、透明部材保持枠１１の下部の側方に位置する前面から、貸し出される遊技球をパチンコ遊技機１に排出するためのノズル３１を、透明部材保持枠１１の前方に向かって延設している。このノズル３１は、水平面内で回動可能となる状態で球供給機２７に軸着されており、透明部材保持枠１１が閉状態では、透明部材保持枠１１の前方に位置する方向に付勢され、透明部材保持枠１１が開状態では、透明部材保持枠１１とともに前方へ回動するように構成されている。なお、球供給機２７は、球貸し用プリペイドカードあるいは貯玉カードを挿入して、このカードに記憶されている情報に基づいて遊技球を貸し出す（払い出す）タイプであってもよい。
【００１２】
次に、上皿ユニット１３について説明する。
上皿ユニット１３は、図４に示すように、前面枠３に開閉可能に軸着される開閉パネル３８（本発明の開閉部材の一部に相当）と、該開閉パネル３８の前面側に設けられる上皿３９（本発明の貯留皿に相当）と、該上皿３９の前方および下方を覆う上皿カバー部材４１と、開閉パネル３８の裏面側に備えられた球止めユニット４２とから概略構成されて、前面枠３に対して開閉可能な状態で備えられている。
【００１３】
開閉パネル３８は、上皿ユニット１３のベースとなる部材であり、フロントパネル３８ａと金属製のリアパネル３８ｂとを重合し、フロントパネル３８ａの一側（図中左側）を軸着部（ヒンジ部）４４により前面枠本体４へ軸着している。また、開閉パネル３８は、軸着部４４側寄り（一側寄り、図中左寄り）に、球排出装置２１から排出された遊技球が出てくるための上皿球出口４７（本発明の貯留皿球出口に相当）を開設し、該上皿球出口４７から後方に接続樋５１を延設している。なお、この接続樋５１は、内部に後述する球排出流路２３の下流部分（下側球排出流路９６）を形成しており、球排出流路２３から排出された遊技球を上皿球出口４７へ案内するように構成されている。さらに、この開閉パネル３８は、上皿ユニット１３の開放側寄り（他側寄り、図中右寄り）に貫通開口５２を形成し、上皿３９に貯留された遊技球を、前面枠３側の発射装置１６、詳しくは発射装置１６の遊技球発射位置１７へ供給するための球供給口５３（図５参照）を貫通開口５２に連通する状態で備えている。
【００１４】
なお、開閉パネル３８は、下端中央周辺に下向きコ字状のパネル切欠部５５を開設し、上皿ユニット１３の開閉時にスピーカーユニット１５の上部が接触しない程度の空部を設けている。さらに、開閉パネル３８は、透明部材保持枠１１の下縁に合わせた形状となるようにフロントパネル３８ａおよびリアパネル３８ｂの上縁を形成し、リアパネル３８ｂの上縁から不正防止壁５６を透明部材保持枠１１の下縁よりも上方へ延設して、開閉パネル３８と透明部材保持枠１１との間隙から針金等の不正部材が侵入するのを防止している。したがって、開閉パネル３８、すなわち上皿ユニット１３は、透明部材保持枠１１を開いて不正防止壁５６の前方を開放した状態で、前面枠３に対して開閉できるように構成されている。
【００１５】
上皿３９は、発射装置１６へ供給する遊技球を一時貯留するためのものであり、開閉パネル３８から前方へ延設された略半ラケット状の上皿本体５８により当該上皿３９の前部、両側部および下部を、開閉パネル３８により当該上皿３９の後部をそれぞれ形成し、上皿ユニット１３の軸着端寄りに、上皿本体５８と開閉パネル３８とで区画されて上方に開放（開口）した開口部３９ａを備えて構成されている。そして、この上皿３９は、開閉パネル３８の上皿球出口４７に連通し、上皿球出口４７の下方から貫通開口５２に向かって下り傾斜した底面５９を備えて、貯留された遊技球が開閉パネル３８に沿って球供給口５３へ流下できるように構成されている。
【００１６】
また、上皿３９は、上皿ユニット１３の開放端寄りに設けられた球通路４０に連通している。この球通路４０は、上皿３９に貯留された遊技球を発射装置１６へ案内するための通路であり、上皿３９から球止めユニット４２に亘って遊技球が丁度１列に整列できるように形成されている。
【００１７】
上皿カバー部材４１は、上皿３９および球通路４０の前方を保護および装飾する中空の部材であり、開閉パネル３８の前面から遊技者側へ突出（膨出）した形状で設けられている。この上皿カバー部材４１は、上皿３９の下方に、内部の中空空間であって下側および後側が開口された第１空間６２を当該上皿カバー部材４１の前面裏側から開閉パネル３８のパネル切欠部５５に亘って区画形成し（図５参照）、スピーカーユニット１５の上部が十分に収納できるように構成されている。また、上皿カバー部材４１は、第１空間６２の前方に円形状の透音カバー部材６３を、下半部が上皿カバー部材４１の下縁から下皿ユニット１４の前面に向かって延設された状態で備えている。
【００１８】
球止めユニット４２は、上皿３９から開閉パネル３８の後方へ流下する遊技球を止めるためのものである。この球止めユニット４２は、開閉パネル３８の貫通開口５２と対向する前面部分から球通路４０の下流側を、後方に向かって下り傾斜した状態で開設し、この球通路４０の下流側開口（出口）を発射装置１６への球供給口５３としている。また、球止めユニット４２は、球供給口５３を開閉可能な略Ｌ字形状の球止め部材６５を、上皿ユニット１３に対して回動可能に軸着し、上皿ユニット１３が閉状態では球供給口を開き、上皿ユニット１３が開状態では球供給口５３を閉じるように構成されている。
【００１９】
次に、下皿ユニット１４について説明する。
下皿ユニット１４は、図６に示すように、前面枠本体４の下部に取り付けられる取付ベース６８と、該取付ベース６８の前面に設けられる下皿６９と、該下皿６９の前面、側面および下面を覆う下皿カバー部材７０とから概略構成されている。そして、この下皿ユニット１４は、右側（上皿ユニット１３の開放側、前面枠３の開放側に位置する部分）には、延出部７２を上縁が透明部材保持枠１１の下縁まで延出された状態で設けて、略倒Ｌ字形状を呈している。そして、下皿ユニット１４は、下皿６９の左側（上皿ユニット１３の軸着側）に灰皿７３を備え、延出部７２の前面側下部に、発射装置１６による遊技球の発射勢を調整するために遊技者が操作する発射操作ユニット（発射操作ハンドル）７４を備えている。
【００２０】
取付ベース６８は、下皿ユニット１４のベースとなる略倒Ｌ字状の部材であり、上皿３９の下方であって発射操作ユニット７４寄り（延出部７２寄り。図中右寄り）の位置に、遊技球が下皿６９に流入するための下皿球出口７７を開設し、該下皿球出口７７にオーバーフロー流路２４を連通させている。
【００２１】
また、この取付ベース６８は、上縁を開閉パネル３８の下縁やパネル切欠部５５に合わせた形状に形成し、上皿ユニット１３の開放端（図中右端）よりも外側には、透明部材保持枠１１の開放側（図中右側）の下端まで延出された延出ベース７９を備えている。この延出ベース７９は、延出部７２の一部でベースとなる部分である。
【００２２】
そして、この取付ベース６８は、上縁および延出ベース７９の裏側から不正防止壁８０を開閉パネル３８の下縁あるいは透明部材保持枠１１の開放端側（図中右側）の下縁よりも上方に達する状態で延設して、下皿ユニット１４と上皿ユニット１３との間、および下皿ユニット１４と透明部材保持枠１１との間から針金等の不正部材が侵入するのを防止している。
【００２３】
下皿６９は、上皿３９が満杯になってオーバーフローした遊技球や、上皿３９から流下してきた遊技球を貯留可能な部材である。この下皿６９は、取付ベース６８から前方へ延設された下皿本体８３により当該下皿６９の前部、両側部および下部を、取付ベース６８により当該下皿６９の後部をそれぞれ形成し、下皿本体８３と取付ベース６８とで区画されて上方に開放（開口）した状態で構成されている。そして、下皿６９は、上皿３９の右斜め下方（発射操作ユニット７４寄りの下方）であって、延出部７２寄りの位置に、下皿球出口７７を臨ませた状態で設けられている。なお、下皿６９は、底部に開閉可能な取出口８５を備えており、取出しレバー８５ａを操作することによって開閉プレート８６の貫通孔と取出口８５とを連通させて、下皿６９から遊技球を下方に落下できるように構成されている。
【００２４】
下皿カバー部材７０は、取付ベース６８の前面から遊技者側へ突出（膨出）した形状を備えており、前面突出部を上皿カバー部材４１の前面突出部と略同じ位置まで突出させている。さらに、下皿カバー部材７０は、延出ベース７９と重なる箇所に延出部７２の前側部分となる延出カバー部材８８を、前面が上皿カバー部材４１の開放端（図中右端）と連続するような曲面で形成された状態で備えている。このような構成により下皿カバー部材７０は、下皿ユニット１４と、閉じた状態の上皿ユニット１３とが一体化しているかのようなデザインを備えることができる。また、この下皿カバー部材７０は、下皿６９と灰皿７３との間に第２空間８９を区画形成している。この第２空間８９は、上皿ユニット１３の閉成状態で上皿３９の下方に形成され、第１空間６２と上下に連通することができる空間である。このようにして、下皿ユニット１４は、スピーカーユニット１５の下部を収納可能な広さの第２空間８９を下皿６９の側方であり、灰皿７３との間に形成している。
【００２５】
なお、スピーカーユニット１５は、遊技中の効果音を出力するスピーカー９０と、内部にスピーカー９０を収納するスピーカー収納ボックス９１と、該スピーカー収納ボックス９１を閉成する蓋部材９２とから構成されている。このスピーカーユニット１５は、下皿ユニット１４の第２空間８９に下部を収納し、上部を第１空間６２に収納して取り付けることができる。
【００２６】
上記のような上皿ユニット１３および下皿ユニット１４を備えたパチンコ遊技機１は、上皿ユニット１３を前面枠３に対して閉じた状態では、上皿ユニット１３が開放側端部１３ａを延出部７２に連続するように位置するとともに、当該上皿ユニット１３の下面部と下皿ユニット１４の上面部とを近接させた状態で対向させている（図１参照）。そして、下皿ユニット１４は、上皿ユニット１３の開放側端部１３ａの側方に発射操作ユニット７４の取付箇所、すなわち延出部７２を設けて、上皿ユニット１３の下方および開放側端部１３ａの側方を囲むように配設されている。したがって、このパチンコ遊技機１は、上皿ユニット１３や下皿ユニット１４の高さ寸法を低く抑えても、発射操作ユニット７４を取り付ける領域を十分に確保することができる。このことから、パチンコ遊技機１のデザインの自由度を拡げて、遊技の興趣を高めることができる。
【００２７】
しかも、上皿ユニット１３は、発射操作ユニット７４に接触しない状態で開閉できるように、上皿ユニット１３の軸着部４４から開放側端部１３ａまでの長さを設定しているので、延出部７２に発射操作ユニット７４を設けても支障なく上皿ユニット１３の開閉を行うことができる。また、上皿ユニット１３は、前面枠本体４の横幅よりも短く構成されているので、開閉範囲を小さくすることができ、メンテナンス作業を行い易くすることができる。
【００２８】
次に、球排出流路２３について説明する。
球排出流路２３は、図７に示すように、裏機構盤１８に設けられた上側球排出流路（遊技球通路）９５と、接続樋５１内の下側球排出流路９６とから成り、上皿ユニット１３を前面枠３に対して開くことで接続樋５１を前方に移動させて、上側球排出流路９５と下側球排出流路９６とに分割できるように構成されている。
【００２９】
上側球排出流路９５は、前面枠本体４の裏機構盤１８に設けられた流路ボックス（通路ボックス）１００の内部に形成されている。具体的に説明すると、前面枠本体４の裏機構盤１８には、図８に示すように、上皿ユニット１３の上皿球出口４７よりも上流側であって、下側球排出流路９６（すなわち接続樋５１）の上流側が接続する箇所に開口部１０１を開設し、該開口部１０１が開設された裏側部分に流路ボックス１００を備えている。この流路ボックス１００は、第１流路部材（第１通路部材）１００ａと第２流路部材（第２通路部材）１００ｂと第３流路部材（第３通路部材）１００ｃとを前後に重合して構成されている。第１流路部材１００ａは、前面枠本体４の裏側に当接する部材であり、上側球排出流路９５の出口側開口９５ａを開設して開口部１０１に連通している。また、第２流路部材１００ｂは、上側球排出流路９５を後上方に屈曲して略クランク状に形成するとともに、上方の球排出装置２１と上側球排出流路９５とを連通させる連通路１０２を形成している。さらに、第３流路部材１００ｃは、上側球排出流路９５および連通路１０２の後方を閉塞する蓋として機能している。なお、第２流路部材１００ｂは、上側球排出流路９５の上流側に形成された棚部１０３に連通口１０４を開設し、この連通口１０４と下皿球出口７７とを連通する状態でオーバーフロー流路２４を形成している。
【００３０】
そして、この上側球排出流路９５へ球供給機２７からの遊技球（貸し球）を案内するために、透明部材保持枠１１は、前面枠３側に付勢された状態のノズル３１の下方に球受入ユニット１０５（本発明の球受入手段に相当）を設けている。具体的に説明すると、透明部材保持枠１１は、ノズル３１の下方であって上皿３９の上方に位置する箇所、詳しくは当該透明部材保持枠１１の下部の軸着側の前面に、遊技球が通過可能な案内開口部１０６を開設し、該案内開口部１０６の前方（すなわち当該透明部材保持枠１１の前面）に、遊技球を受入可能な球受入ユニット１０５を備えている（図７および図９参照）。
【００３１】
球受入ユニット１０５は、球供給機２７から貸し出される遊技球を受け入れて、案内開口部１０６へ導入するためのものである。この球受入ユニット１０５は、図９に示すように、縦長な箱形状を呈しており、一側（上側）に遊技球を受け入れる球受入部１０８を備え、他側（下側）に、当該球受入ユニット１０５を透明部材保持枠１１に着脱可能な状態で取り付けるための取付ベース部１０９を備えている。なお、球受入ユニット１０５は、パチンコ遊技機１の全体のデザインに馴染むような形状を呈することが好ましく、例えば、略半球体のように丸みを帯びた形状を呈していてもよい。
【００３２】
球受入部１０８は、上方および後方に開放した凹空間１１０を内側に形成し、該凹空間１１０の上方にノズル３１の先端を臨ませ得る状態で設けられている。また、球受入部１０８は、凹空間１１０の下側を区画する底面１１１を案内開口部１０６に向かって下り傾斜して、底面１１１の下端部と案内開口部１０６の下縁とが略面一となる状態で凹空間１１０と案内開口部１０６とを連通している。したがって、球受入部１０８は、ノズル３１から受け入れた遊技球を案内開口部１０６へ転動させることができる。また、球受入部１０８は、上縁部分を案内開口部１０６よりも上方に位置させて、受け入れた遊技球が前方や側方にこぼれ落ちることなく案内開口部１０６へ流下するように構成されている。
【００３３】
本実施形態では、球受入ユニット１０５は、球受入ユニット本体１１３の上部を凹ませて上方および後方に開放した空間を形成し、該空間内に球受部材１１４を別部材として着脱可能な状態で収納することで球受入部１０８を構成している。この球受部材１１４は、上方および後方を開放した略角形カップ形状を呈し、内側底部に案内開口部１０６へ向かって下り傾斜した斜面を備えている。そして、この球受部材１１４は、案内開口部１０６を透明部材保持枠１１の軸着部３ａとは反対寄り（図中右寄り）の後方に臨ませ、内側底部を一側（右側）へ下り傾斜させて、遊技球が一方向に移動するようにしてスムーズに流下できるように構成されている。このような構成の球受入ユニット１０５の内部が遊技球の衝突により摩耗等して損傷した場合には、球受部材１１４のみを新品の球受部材１１４に交換するだけで球受入ユニット１０５を修理することができる。このことから、パチンコ遊技機１のメンテナンスの作業負担や費用の低減を図ることができる。
なお、球受入ユニット１０５は、球受部材１１４が着脱しない一体成形タイプであってもよいし、あるいは別部材としての球受部材１１４を備えないタイプであってもよい。
【００３４】
一方、取付ベース部１０９は、球受入ユニット１０５の下側の後面、すなわち透明部材保持枠１１と対向する部分に設けられている。そして、取付ベース部１０９は、ピン等の取付突起１１６を透明部材保持枠１１に向かって突設してあり、該取付突起１１６を透明部材保持枠１１の案内開口部１０６よりも下方に開口した取付穴１１７に嵌合することで、球受入ユニット１０５を透明部材保持枠１１へ取り付けている。
【００３５】
取付突起１１６は、球受入部１０８の底面１１１よりも下方（すなわち球受入部１０８とは反対寄り）に、取付ベース部１０９上において１８０度回転対称となるように複数（本実施形態では２本）配設されている。このような配置の取付突起１１６を備えることで、球受入ユニット１０５は、球受入部１０８を下方に向けた状態でも透明部材保持枠１１に取り付けることができるように構成されている。なお、取付ベース部１０９は、透明部材保持枠１１の裏側からネジ等の着脱可能な止着部材（図示せず）により止着すれば、透明部材保持枠１１を閉めた状態で球受入ユニット１０５を取り外されてしまう虞がないので好適である。また、球受入部１０８を下方に向けて取り付けた球受入ユニット１０５の状態については、後で詳細に説明する。
【００３６】
そして、この球受入ユニット１０５は、球受入部１０８とは反対側の端面、すなわち下面に浅い皿状の窪部１１８を球受入部１０８側に凹ませた状態で備えている。この窪部１１８は、球受入ユニット１０５を、球受入ユニット１０５を下に向けた状態で上方を向いて載置棚として利用することができる。なお、この載置棚についても後で詳細に説明する。
【００３７】
また、案内開口部１０６の裏側には、球案内流路１２０が接続されている。球案内流路１２０は、球受入ユニット１０５に受け入れて案内開口部１０６から流下した遊技球を上側球排出流路９５（詳しくは、上側球排出流路９５のうち縦方向へ延在する縦向き流路（図７参照））へ案内する流路である。この球案内流路１２０は、透明部材保持枠１１が閉じた状態で、上部を透明部材保持枠１１の裏側に当接して上側開口１２０ａを案内開口部１０６に連通し、下部を前面枠本体４および第１流路部材１００ａに貫通させて下側開口１２０ｂを上側球排出流路９５に連通している。なお、前面枠本体４および第１流路部材１００ａは、案内開口部１０６よりも下方であって、開口部１０１および出口側開口９５ａよりも上方の位置に球案内流路１２０を貫通させる貫通口１２２（前面枠本体側貫通口１２２ａ、第１流路部材貫通口１２２ｂ）を開設し、この貫通口１２２に球案内流路１２０の下部を接続している。また、この球案内流路１２０は、上皿ユニット１３の接続樋５１に支持部材１２３で支持され、透明部材保持枠１１が開いた状態では、上側開口１２０ａと案内開口部１０６とが離間し、さらに上皿ユニット１３が開いた状態では、下側開口１２０ｂと貫通口１２２とが離間して、上皿ユニット１３とともに前面枠３の前方に向かって移動するように構成してある。したがって、この球案内流路１２０は、遊技盤５の前方から外れた位置へ移動することができ、遊技盤５の取付や交換の際に邪魔になることがない。
【００３８】
このように球受入ユニット１０５および球案内流路１２０を構成し、図９（ｂ）に示すように、前記球受入部１０８を上方に向けた状態で透明部材保持枠１１に取り付けると、球受入部１０８と案内開口部１０６とが連通する。そして、球供給機２７のノズル３１から球受入部１０８へ遊技球を受け入れると、この遊技球は、案内開口部１０６から球案内流路１２０を流下して上側球排出流路９５へ落下することができる。したがって、遊技球が球排出流路２３に衝突する音を上側球排出流路９５、すなわち上皿球出口４７の奥で発生させることができ、貸し出し時における遊技球の衝突音を聞こえ難くして軽減することができる。また、遊技球が跳ねず、上皿３９から飛び出してしまう虞がない。
【００３９】
さらに、この球受入ユニット１０５は、透明部材保持枠１１の前面に設けられているので、透明部材保持枠１１とともに前面枠３の前方を移動することができる。したがって、透明部材保持枠１１を開ける際にわざわざ球受入ユニット１０５を取り外す必要が無く、例えば遊技中の遊技領域１０において球詰まりが生じた場合には、復旧作業等を迅速に行うことができる。このことから、復旧を待っている遊技者が遊技の興趣を損なわないようにすることができる。
【００４０】
また、球受入ユニット１０５は、図９（ｃ）に示すように、球受入部１０８を下方に向けた状態で透明部材保持枠１１に取り付けると、球受入部１０８を取付突起１１６、すなわち取付穴１１７よりも下方に位置させて、案内開口部１０６が球受入部１０８と連通することを阻止し、さらには案内開口部１０６を取付ベース部１０９により閉塞することができる。したがって、貸し出された遊技球を球受入ユニット１０５から受け入れない場合（例えばパチンコ遊技機１がプリペイドカードにより球貸しがなされる所謂ＣＲ機であり、且つ球供給機（貯玉リプレイサンド）がパチンコ遊技機１の横に併設されていない場合）には、球受入ユニット１０５を上下逆にして（球受入部１０８を下方に向けて）透明部材保持枠１１に取り付ければ、案内開口部１０６から不正部材が侵入するのを防いで不正行為が行われるのを阻止することができる。
【００４１】
しかも、球受入部１０８を下方に向けた球受入ユニット１０５は、球受入部１０８とは反対側に形成された窪部１１８を上方に向けて硬貨や球貸し用プリペイドカード等を載せられる載置棚を、上方に開放した浅い凹形状を呈した状態で構成することができる。したがって、遊技球を受け入れない状態であっても、球受入ユニット１０５を有効利用することができる。なお、載置棚（窪部）１１８は、図１０に示すように、左右方向に亘って球貸し用プリペイドカードを差し込めるスリット１２４を複数形成してもよい。あるいは、載置棚１１８に硬貨の径に合わせて半円筒状の窪み（図示せず）を形成してもよい。
【００４２】
なお、球案内流路１２０は、上皿ユニット１３に設けられた下側球排出流路９６に連通するようにしてもよい。すなわち、図１１および図１２の第２実施形態における球案内流路は、基本的には第１実施形態のものと同じであるが、下側開口の連通箇所が異なっている。具体的に説明すると、この球案内流路１２０′は、前方を開放した断面倒コ字状の流路部材１２６に流路蓋１２７を前方から塞ぐことで形成されている。そして、球案内流路１２０′は、透明部材保持枠１１を閉じた状態で、上部を透明部材保持枠１１の裏側に当接して上側開口１２０ａ′を案内開口部１０６に連通している。また、球案内流路１２０′は、接続樋５１の上部に開設されて下側球排出流路９６に臨ませた接続口１２８に当該球案内流路１２０′の下部を接続して、下側開口１２０ｂ′を下側球排出流路９６に連通している。このように球排出流路２３との合流箇所を上皿球出口４７に近づけた状態で球案内流路１２０′を形成することで、遊技球の貸し出し時における騒音を軽減させつつ、球供給機２７から貸し出された遊技球を迅速に上皿球出口４７から排出させることができる。また、遊技球が跳ねず、上皿３９から飛び出してしまう虞がない。
【００４３】
なお、接続口１２８は、後方の流路部材１２６と接続する縁を上皿球出口４７、すなわち前方に向かって下り傾斜させて、球案内流路１２０′を流下した遊技球が接続樋５１を流下する遊技球と略同じ方向に転動するようにして、接続樋５１内の遊技球の流下を邪魔しないように構成されている。
【００４４】
また、球案内流路１２０′は、透明部材保持枠１１が開いた状態では、上側開口１２０ａ′と案内開口部１０６とが離間し、さらに上皿ユニット１３が開いた状態では、上皿ユニット１３とともに前面枠３の前方に向かって移動するように構成してある。したがって、この球案内流路１２０′も、遊技盤５の取付や交換の際に邪魔になることがない。
【００４５】
ところで、上記した実施形態では、透明部材保持枠１１の前面に球受入ユニット１０５を備えて、球供給機２７からの遊技球を球排出流路２３へ案内するようにしたが、本発明はこれに限らない。例えば、透明部材保持枠１１は、球供給機２７のノズル３１からの遊技球を上皿３９へ直接案内する球受入案内ユニット１３０を備えてもよい。第３実施形態における球受入案内ユニット１３０は、図１３に示すように、前面枠３側に付勢された状態におけるノズル３１の先端の下方に配設され、遊技球を受け入れる球受入部１３１と、該球受入部１３１から受け入れた遊技球を上皿３９へ案内する案内部１３２とにより概略構成されている。
【００４６】
球受入部１３１は、上方および後方に開放した凹空間１３４を内側に形成し、該凹空間１３４の上方にノズル３１の先端（すなわち遊技球排出口）を臨ませ得る状態で設けられている。また、案内部１３２は、球受入部１３１から下方に延設され、内側には、遊技球が丁度縦１列に整列した状態で流下可能な案内路１３５を形成し、該案内路１３５の上部を凹空間１３４に連通している。さらに案内部１３２は、下端を上皿３９の開口部３９ａに臨ませた状態で、上皿球出口４７の上方であって開口部３９ａの直上まで延設され、案内路１３５の下部と上皿３９とを連通させている。なお、案内部１３２は、案内路１３５の内壁上に、遊技球が流下しながら接触する程度の大きさの突起１３６を突設し、球受入部１３１からの遊技球の流下勢を弱められるように構成されている。
【００４７】
このような球受入案内ユニット１３０を備えて球供給機２７からの遊技球を球受入部１３１に受け入れると、球受入案内ユニット１３０は、案内路１３５へ遊技球を流下させて、確実に上皿３９へ案内することができる。また、透明部材保持枠１１を開閉しても、球受入案内ユニット１３０は、案内部１３２の下端を上皿３９に干渉しない。したがって、透明部材保持枠１１を開閉する際にわざわざ球受入案内ユニット１３０を取り外す必要も無く、スムーズに遊技領域１０等のメンテナンス作業を行うことができる。さらに、透明部材保持枠１１の開閉時に邪魔にならない状態で案内部１３２を上皿３９に近づけられるので、遊技球が落下して上皿３９に衝突する際の騒音（衝突音）を小さくすることができる。
【００４８】
なお、上皿ユニット１３は、案内部１３２の下方に遊技球を球供給口５３へ誘導する球誘導部材１３８を設けてもよい。具体的に説明すると、図１４の第４実施形態における球受入案内ユニット１３０は、横長な開口を上部に開設した球受入部１３１を設け、該球受入部１３１の右側（上皿ユニット１３の開放端側）の下部から案内部１３２を、透明部材保持枠１１の下縁まで延設している。そして、上皿ユニット１３は、上皿３９の内側（内部）であって、案内部１３２の下方に球誘導部材１３８を設けている。この球誘導部材１３８は、内部に略Ｌ字状の屈曲する遊技球流路を形成しており、上端を案内部１３２の下端から離間し、開閉パネル３８の上縁よりも下に位置した状態で、開閉パネル３８の前面に取り付けられている。また、球誘導部材１３８は、上流側開口１３８ａを案内部１３２の下方に臨ませて、案内部１３２、具体的には案内部１３２の案内路１３５に連通させ、案内部１３２から流下してくる遊技球を上流側開口１３８ａへ受け入れられるように構成している。また、球誘導部材１３８は、下部を上皿３９の底部に沿って延設し、下流側開口１３８ｂを球供給口５３へ向かって開放している。なお、この球誘導部材１３８は、上皿球出口４７の右側方に位置しており、上皿球出口４７から排出される遊技球の流下の邪魔にならないように配設されている。
【００４９】
このような球誘導部材１３８を球受入ユニット１０５の下方に設けて、遊技球を球受入部１３１から受け入れると、この遊技球は、案内部１３２から球誘導部材１３８内に流下し、球誘導部材１３８の下流側開口１３８ｂから排出されて、球供給口５３に向かって転動することができる。したがって、球受入案内ユニット１３０から受け入れた遊技球を、上皿３９へ激しく衝突させることなくスムーズに誘導することができる。このことから、遊技球の貸し出しの際に生じる騒音を一層小さくすることができる。また、遊技球が跳ねず、上皿３９から飛び出してしまう虞がない。
【００５０】
なお、球誘導部材１３８は、上皿球出口４７に臨ませた外面を球通路４０に向けて傾斜させれば、上皿球出口４７から出てくる遊技球がスムーズに球通路４０へ流下できるので好適である。また、球誘導路部材１３８は、上皿３９の底面５９との間に遊技球が１個通過できる程度の間隔を空けて開閉パネル３８に取り付けても、上皿３９内の遊技球が滞留せずに球通路４０へ流下し易くなって好ましい。
【００５１】
ところで、球受入案内ユニット１３０は、透明部材保持枠１１の前面における取付位置や、球受入部１３１の上縁の高さを調整できるようにしてもよい。例えば、図１５および図１６の第５実施形態における球受入案内ユニット１３０は、透明部材保持枠１１に対して左右方向の取付位置を調整できる位置調整手段１４０と、上下に伸縮可能な球受入スライド部材１４１を備えている。具体的に説明すると、この球受入案内ユニット１３０は、遊技球の流路となる縦長の溝を透明部材保持枠１１に向けた状態で形成した流路形成部材１４２と、該流路形成部材１４２の前方および両側方を覆うカバー部材１４３とから概略構成されて、上部に球受入部１３１を、下部に球受入部１３１からの遊技球を下方に流下させる案内部１３２を形成している。なお、流路形成部材１４２とカバー部材１４３とは、流路形成部材１４２の外側面から突出した結合部材（例えばピン）１４２ａで結合されている。また、流路形成部材１４２は、遊技球が丁度１個ずつ流下できる程度の溝を遊技球の流路として形成している。したがって、遊技球が球受入案内ユニット１３０内で詰まり難い。
【００５２】
そして、球受入部１３１には、球受入スライド部材１４１がカバー部材１４３と流路形成部材１４２との間に挟み込まれた状態で備えられている。この球受入スライド部材１４１は、図１５に示すように、縦長な断面コ字状を呈し、上縁が流路形成部材１４２の上前方および上側方を覆う状態で形成されている。すなわち、球流路スライド部材１４１は、上縁で遊技球を受け入れる受入開口１４１ａを形成し、この受入開口１４１ａの下方に球受入部１３１の凹空間１３４を連通させている。また、この球流路スライド部材１４１は、縦長なスリット１４４に流路形成部材１４２の前面に形成されたボス１４５を遊嵌し、上下にスライドして球受入部１３１の上方へ突出可能な状態で備えられている。このように上下に伸縮可能な球受入スライド部材１４１を備えると、球供給機２７のノズル３１の球出口（先端）の高さに合わせて球受入案内ユニット１３０の高さを容易に調整することができる。したがって、球受入部１３１がノズル３１先端の下方に臨ませて、貸し出される遊技球がこぼれないように球受入案内ユニット１３０の受入開口の位置を設定することができる。
【００５３】
一方、位置調整手段１４０は、カバー部材１４１から透明部材保持枠１１に向かって突設された取付部材（例えばピン）１４７と、透明部材保持枠１１に開設された複数の取付部（例えば嵌合穴）１４８とにより構成されている。そして、取付部１４８は、取付部材１４７の位置に対応して設けられ（開設され）、さらには、球受入案内ユニット１３０の位置を左右にずらして取り付けられるように、横方向に並べて複数配設（開設）してある。このような位置調整手段１４０を備えれば、球供給機２７のノズル３１の球出口の左右方向の位置に合わせて球受入案内ユニット１３０の位置を容易に調整することができる。したがって、メーカーによって球供給機２７毎にノズル３１の長さや形状が異なっていても、球受入部１３１をノズル３１の先端の下方に臨ませて、貸し出される遊技球がこぼれないように球受入案内ユニット１３０の位置を設定することができる。なお、本実施形態の取付部材１４７および取付部１４８は、ピンおよび嵌合穴で構成したが、これに限定されず、球受入ユニット１３０を着脱可能な状態で取り付けられる機構であればどのようなものでもよい。
【００５４】
また、位置調整手段１４０は、上記した実施例に限らず、図１７に示すように、カバー部材１４１から透明部材保持枠１１に向かって延設したスライドバー１４９と、透明部材保持枠１１に横方向に開設されたスリット１５０と、透明部材保持枠１１の裏側からスライドバー１４９の先端に止着されるストッパー１５１とにより構成してもよい。すなわち、球受入案内ユニット１３０を透明部材保持枠１１に当接するとともに、スリット１５０にスライドバー１４９を遊嵌し、該スライドバー１４９の先端にストッパー１５１を止着して、球受入案内ユニット１３０が透明部材保持枠１１の前方で連続的に左右に移動できるようにしてもよい。このような位置調整手段１４０を設ければ、球受入案内ユニット１３０の位置を微調整することができ、ノズル３１の先端の位置に球受入案内ユニット１３０の球受入部１３１を一層合わせ易くすることができる。また、位置合わせの目安として、透明部材保持枠１１に目盛１５２を記してもよい。
【００５５】
なお、上記した球受入スライド部材１４１は、球受入案内ユニット１３０の球受入部１３１に限らず、図７（ｂ）に示すように、球受入ユニット１０５の球受入部１０８に適用してもよい。すなわち、球受入ユニット本体１１３と球受部材１１４との間に、球受入スライド部材１４１を上下にスライド可能な状態で挟み込んでもよく、球供給機２７のノズル３１の長さに合わせて球受入ユニット１０５の高さを容易に調整することができて好適である。
【００５６】
上記のように、球受入案内ユニット１３０は、左右の位置を調整したり、あるいは球受入部１３１の上縁部分を上下にスライドしたりすることができるので、球受入部１３１を小さくしても、ノズル３１の球出口（先端）の位置に対応して遊技球を受け入れることができる。したがって、球受入案内ユニット１３０をコンパクトな形状にすることができる。このことから、遊技者が下皿６９から上皿３９へ遊技球を入れる際に、手が球受入案内ユニット１３０にぶつかり難く、邪魔にならない。また、球受入案内ユニット１３０は、遊技球が丁度１個ずつ流下できる程度の案内路１３５を内部に形成するので、遊技球が球受入案内ユニット１３０内で詰まり難い。
【００５７】
上記した球受入ユニット１０５および球受入案内ユニット１３０は、上皿ユニット１３および下皿ユニット１４を備えたパチンコ遊技機１について適用したが、本発明はこれに限らず、遊技球を貯留可能な貯留皿（貯留皿ユニット）が１つだけ備えられたパチンコ遊技機に適用してもよい。
【００５８】
さらに、上記実施形態では、透明部材保持枠１１と上皿ユニット１３（すなわち開閉パネル３８）とを上下に分割可能な状態で別体にし、双方を前面枠３の一側（図２中左側）にそれぞれ回動可能に軸着したが、本発明はこれに限らない。例えば、透明部材保持枠１１と開閉パネル３８とを上下に配した状態で一体化して開閉部材を構成し、この一体化した透明部材保持枠１１および開閉パネル３８、すなわち開閉部材を前面枠３に、軸着部３ａ，４４を介して回動可能に軸着し、開閉部材の前面下側に上皿３９と上皿球出口４７を設けて上皿ユニット１３を形成し、透明部材保持枠１１と上皿ユニット１３とが常に一緒に開閉できるようにしてもよい。
【００５９】
加えて、接続樋５１および球案内流路１２０，１２０′は、外側を金属板で覆ってもよい。このようにすると、不正を行おうとする者が、例えば熱したピアノ線で樹脂製の接続樋５１あるいは球案内流路１２０，１２０′に穴を開けて、このピアノ線を遊技盤５等に侵入させようとしても、金属板がピアノ線の侵入を阻止するので好ましい。
【００６０】
上記した実施形態は、代表的な遊技機であるパチンコ遊技機を例にして説明したが、本発明はこれに限らず、遊技球を貯留可能な貯留皿ユニット（上皿ユニット、下皿ユニット）を備えた遊技機であればどのような遊技機でもよい。例えば、内部に封入した遊技球を循環させる封入球式パチンコ機、アレンジボール式遊技機、雀球式遊技機、遊技球を使用したスロットマシン等の遊技機であってもよい。
【００６１】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６２】
【図１】パチンコ遊技機および球供給機の正面図である。
【図２】前面枠の分解斜視図である。
【図３】パチンコ遊技機の背面図である。
【図４】上皿ユニットの分解斜視図である。
【図５】上皿ユニットの背面斜視図である。
【図６】下皿ユニットおよびスピーカーユニットの分解斜視図である。
【図７】（ａ）は球排出流路および球受入ユニットの断面図、（ｂ）は球受入スライド部材を備えた球受入ユニットの断面図である。
【図８】流路ボックスの分解斜視図である。
【図９】（ａ）は、球受入ユニットの分解斜視図、（ｂ）は球受入部を上方に向けた状態の球受入ユニットの取付状態図、（ｃ）は球受入部を下方に向けた状態の球受入ユニットの取付状態図である。
【図１０】スリットを設けた載置棚の説明図である。
【図１１】下側球排出流路に球案内流路を接続したパチンコ遊技機の断面図である。
【図１２】接続樋、流路部材および流路蓋の分解斜視図である。
【図１３】透明部材保持枠に取り付けた球受入案内ユニットの正面図である。
【図１４】上皿ユニットに備えられた球誘導部材の斜視図である。
【図１５】位置調整手段および球受入スライド部材を備えた球受入案内ユニットの分解斜視図である。
【図１６】球受入スライド部材を備えた球受入案内ユニットの断面図である。
【図１７】位置調整手段および球受入スライド部材を備えた球受入案内ユニットの一例の分解斜視図である。
【符号の説明】
【００６３】
１  パチンコ遊技機
２  機枠
３  前面枠
３ａ  軸着部
４  前面枠本体
５  遊技盤
６  表示装置
７  大入賞口
８  一般入賞口
９  アウト口
１０  遊技領域
１１  透明部材保持枠
１２  透明部材
１３  上皿ユニット
１３ａ  開放側端部
１４  下皿ユニット
１５  スピーカーユニット
１６  発射装置
１８  裏機構盤
１９  球タンク
２０  球誘導樋
２１  球排出装置
２３  球排出流路
２４  オーバーフロー流路
２７  球供給機
２８  硬貨投入口
２９  硬貨返却口
３１  ノズル
３８  開閉パネル
３８ａ  フロントパネル
３８ｂ  リアパネル
３９  上皿
３９ａ  開口部
４０  球通路
４１  上皿カバー部材
４２  球止めユニット
４４  軸着部
４７  上皿球出口
５１  接続樋
５２  貫通開口
５３  球供給口
５５  パネル切欠部
５６  不正防止壁
５８  上皿本体
５９  底面
６２  第１空間
６３  透音カバー部材
６５  球止め部材
６８  取付ベース
６９  下皿
７０  下皿カバー部材
７２  延出部
７３  灰皿
７４  発射操作ユニット
７７  下皿球出口
７９  延出ベース
８０  不正防止壁
８３  下皿本体
８５  取出口
８５ａ  取出しレバー
８６  開閉プレート
８８  延出カバー部材
８９  第２空間
９０  スピーカー
９１  スピーカー収納ボックス
９２  蓋部材
９５  上側球排出流路
９５ａ  出口側開口
９６  下側球排出流路
１００  流路ボックス
１００ａ  第１流路部材
１００ｂ  第２流路部材
１００ｃ  第３流路部材
１０１  開口部
１０２  連通路
１０３  棚部
１０４  連通口
１０５  球受入ユニット
１０６  案内開口部
１０８  球受入部
１０９  取付ベース部
１１０  凹空間
１１１  底面
１１３  球受入ユニット本体
１１４  球受部材
１１６  取付突起
１１７  取付穴
１１８  窪部（載置棚）
１２０，１２０′  球案内流路
１２０ａ，１２０ａ′  上側開口
１２０ｂ  下側開口
１２２  貫通口
１２２ａ  前面枠本体側貫通口
１２２ｂ  第１流路部材側貫通口
１２３  支持部材
１２４  スリット
１２６  流路部材
１２７  流路蓋
１３０  球受入案内ユニット
１３１  球受入部
１３２  案内部
１３４  凹空間
１３５  案内路
１３６  突起
１３８  球誘導部材
１３８ａ  上流側開口
１３８ｂ  下流側開口
１４０  位置調整手段
１４１  球受入スライド部材
１４１ａ  受入開口
１４２  流路形成部材
１４２ａ  結合部材
１４３  カバー部材
１４４  スリット
１４５  ボス
１４７  取付部材
１４８  取付部
１４９  スライドバー
１５０  スリット
１５１  ストッパー
１５２  目盛
【図１】
2008029894.tif 000003
【図２】
2008029894.tif 000004
【図３】
2008029894.tif 000005
【図４】
2008029894.tif 000006
【図５】
2008029894.tif 000007
【図６】
2008029894.tif 000008
【図７】
2008029894.tif 000009
【図８】
2008029894.tif 000010
【図９】
2008029894.tif 000011
【図１０】
2008029894.tif 000012
【図１１】
2008029894.tif 000013
【図１２】
2008029894.tif 000014
【図１３】
2008029894.tif 000015
【図１４】
2008029894.tif 000016
【図１５】
2008029894.tif 000017
【図１６】
2008029894.tif 000018
【図１７】
2008029894.tif 000019